(57)【特許請求の範囲】
【請求項１】
縁部において互いに接合されて膨らませることが可能な、患者の身体を覆う構造体を形成する２枚の不透気性シートを有し、
前記構造体は、
当該構造体を患者にかけた時に患者の頭が露出するように構成された切欠部を有するとともに、少なくとも患者の肩と鎖骨隣接部分を覆う上方部と、
前記上方部の末端からブランケット足側末端までそれぞれ延在する、少なくとも２つの縦長部を含む胴部と、
を有し、
前記縦長部の各々は、該縦長部に沿って延在する複数の通路を有しており、
前記縦長部は、長さ方向に沿うように断続的スリットまたは引裂線を有する共通の接合ストリップに沿って取外し可能に互いに接続され、前記接合ストリップに沿って前記縦長部が互いに分離可能であり、
前記縦長部のうちの１つが他の前記縦長部から分離され、前記構造体の残りの部分から独立して患者の身体から離れる方向に移動することで、患者の身体の前記縦長部のうちの１つで覆われていた部分を露出させることが可能である、
対流加温ブランケット。
【請求項２】
前記接合ストリップの長さ方向に沿って、前記縦長部の一つを他の縦長部から選択的に分離可能であり、前記縦長部の各々を所望の長さにわたり患者から離す方向に移動させることで、患者の身体の所望の部分を露出させることが可能である、請求項１に記載のブランケット。
【請求項３】
さらに、前記上方部に設けられた少なくとも１つの入口を備え、前記構造体を膨らますために、前記入口は温度処理された空気を前記構造体に入れることを可能にし、前記不透気性シートの一方が患者に接触するとともに、患者に向けて温度処理された空気を排出するための複数の孔を有する、請求項１に記載のブランケット。
【請求項４】
温度処理された空気が前記通路の各々を通り、前記通路の各々が間隔を置いて配置された隣接するシール部により形成され、前記シール部が前記上部から前記構造体の末端部まで縦方向に延在する、請求項１に記載のブランケット。
【請求項５】
さらに、患者に接触する前記不透気性シートの一方に複数の縦方向列を為す孔が形成され、前記縦長部に沿って前記通路を形成する前記シール部の対応する一つに対して、前記縦方向列の一つが並行して隣接する、請求項４に記載のブランケット。
【請求項６】
前記縦長部の各々の末端部に封止された足部を有する、請求項１に記載のブランケット。
【請求項７】
前記縦長部の幅が等しい、請求項１に記載のブランケット。
【請求項８】
患者の身体を覆うための対流加温ブランケットであって、
上方部及び前記上方部の末端から足側端部まで延在する少なくとも２つの縦長部を有する、膨らませることが可能な構造体を備え、
前記上方部は、当該構造体を患者にかけた時に患者の頭が露出するように構成された切欠部を有し、
前記縦長部の各々は、該縦長部に沿って延在する複数の通路を有しており、
前記縦長部は、取外し可能に接合ストリップにより互いに接続され、前記接合ストリップの長さ方向に沿って可変な長さにわたり分離可能であり、前記縦長部の各々が患者から離れる方向に前記構造体の他の部分に対して相対的に移動可能であって、前記構造体により覆われている患者の身体の選択された部分の処置が可能であり、
前記構造体が少なくとも１つの入口を有し、前記入口は温度処理された空気を前記構造体に入れることを可能にする、
対流加温ブランケット。
【請求項９】
前記接合ストリップが、その中央位置に、前記上方部から前記構造体の足側端部まで延在する断続的スリットまたは引裂シール部を有し、前記接合ストリップのどの部分からでも選択的に前記縦長部を互いに分離でき、前記縦長部の各々を特定の長さにわたり前記構造体から分離することで、患者の身体の特定部分を露出させることができる、請求項８に記載のブランケット。
【請求項１０】
さらに前記上部に設けられた少なくとも１つの入口を備え、温度処理された空気を前記構造体に入れ、前記構造体を膨らますことを可能にする、請求項８に記載のブランケット。
【請求項１１】
前記構造体が、患者が前記構造体に覆われている時に患者に面する前記構造体の前記通路のいずれかに沿って、２本の縦方向の孔の列が、患者に向けて温度処理された空気を排出するように形成された、請求項８に記載のブランケット。
【請求項１２】
前記縦長部が、前記上方部から患者の足を覆う封止された足部まで延在する、請求項８に記載のブランケット。
【請求項１３】
縁部において封止された２枚の不透気性シートにより形成され、患者の身体の選択された部分の処置を可能にするように構成された、患者を覆うための全身用対流加温ブランケットであって：
当該ブランケットを患者にかけた時に患者の頭が露出するように構成された切欠部を有する上方部と；
前記上部の末端からブランケット足端まで縦方向に延在する接合ストリップにより、取り外し可能に互いに接続された複数の縦長部であって、前記結合ストリップは引裂き力を加えることで引裂くことができ、前記縦長部は前記結合ストリップに沿ってどの部分からでも互いに分離することができ、前記縦長部を患者の身体から離し、患者の身体の選択された部分を露出させることを可能とする、複数の縦長部と；
加熱された空気を当該全身用対流加温ブランケットに入れ、当該全身用対流加温ブランケットを膨らますことを可能にする、少なくとも１つの入口と；
前記全身用対流加温ブランケットにそって加熱された空気の流れを誘導する、各縦長部に沿って形成された複数の通路と；
患者に接触する前記不透気性シートの一方に、患者に向けて加熱された空気を出すように形成された孔の複数の列；
を有する、ブランケット。
【請求項１４】
前記接合ストリップが、その中央位置に、前記接合ストリップの長さ方向に沿って、断続的スリットまたは引裂シール部を有し、
使用者が前記断続的スリットまたは引裂シール部に引裂き力を加えることにより、前記縦長部を互いに分離することができ、前記接合ストリップは所望の長さにわたって引裂くことができ、
前記縦長部の各々を特定の長さにわたり当該全身用対流加温ブランケットに対して相対的に分離し取外すことで、患者の身体の特定部分を露出させることができる、請求項１３に記載のブランケット。
【請求項１５】
前記通路に沿って孔の列が患者に接触する前記一方の不透気性シートに設けられ、当該孔の列が患者に向けて加熱された空気を排出するように構成されている、請求項１３に記載のブランケット。
【請求項１６】
前記縦長部が、前記上方部から患者の足を覆う封止された足部まで延在する、請求項１３に記載のブランケット。
【請求項１７】
前記縦長部に沿って前記通路を形成するシール部の１つに対して隣接して、前記孔の複数の列が並行するように形成された、請求項１３に記載のブランケット。
【発明の詳細な説明】
【技術分野】
【０００１】
本発明は、対流式加温ブランケット、より具体的には、患者の身体を覆うための全身用ブランケットに関する。この全身用ブランケットは、他の部分に対して相対的に取外すことができる部分を有していて、これにより臨床医または外科医が、ブランケットに覆われている患者の身体の特定部分について処置を行える。
【背景技術】
【０００２】
全身用対流式加温ブランケットは公知である。手術前、手術中、または手術後に患者の体温を維持するために、あるいは患者が低体温ショックに陥るのを防ぐ目的で、患者の体温を維持するために、このような全身用ブランケットは患者の身体を覆う。本発明がなされる前は、手術中に患者の身体の手術を受けない部分を覆うために、複数の半身用ブランケットを使用していた。手術中に複数のブランケットを使用することは、手間を要するのに加えて、複数のブランケットを膨らませるには、複数の加温器が必要であった。
【発明の概要】
【課題を解決するための手段】
【０００３】
本発明の対流加温ブランケットは、全身ブランケットであり、患者の身体を覆い、臨床医または外科医が、患者の身体のさまざまな部分に処置を行うことを可能にする。このブランケットは、上方部と、該上方部から延在し、互いに取り外し可能に接続された２つの縦長部を有する。縦長部は、実質的にブランケットの一部を形成し、接合ストリップにより互いに接続されている。接合ストリップは、接合ストリップに沿って延びる断続的スリット、弱化部、または引裂線を有する。断続的スリット、弱化部、または引裂線を介して、縦長部が互いに分離可能となっている。縦長部を互いに分離した後、一方の縦長部をブランケットの他の部分に対して相対的に外すように動かして、患者の身体の特定部分を選択的に露出させる。縦長部を、ブランケットの分離可能な部分としてもよい。したがって、本発明のブランケットは、全身用分割処置用ブランケットである。
【０００４】
具体的には、本発明のブランケットは２枚の不透気性シートから成る。２枚の不透気性シートは、縁部において接合され、膨らませることが可能な構造体を形成する。ブランケットの寸法は、ブランケットが全身用となるように設定される。この全身用ブランケットは、上方部、該上方部の末端縁から延在する２つの縦長部を有し、好適にはブランケット縁部と連続するように、接合ストリップが縦長部の間に形成され、縦長部を互いに接続する。接合ストリップの長さ方向に沿って、ブランケット上方部の末端縁からブランケットの足側末端まで延びる断続的スリット、弱化線部、または引裂線などが設けられている。断続的スリットに沿って接合ストリップを分割するために所定の力を加え、例えば、ブランケットの足側末端から接合ストリップに沿ってブランケットを引裂くことで、縦長部が互いに分離し、分離した縦長部を、それぞれ接合ストリップに沿う任意の位置でブランケットの他の部分に対して相対的に外れるように動かすことが可能である。これにより、患者の身体の選択された部分が露出され、したがって患者の身体の選択された部分への処置が可能となる。
【０００５】
本発明のブランケットは、肩から足にかけて患者を覆う全身用ブランケットである。患者の身体をブランケットで覆う間、患者の頭を露出させるために、ブランケットの頭側末端に凹部の切欠部が設けられている。
【０００６】
本発明のブランケットに２つの入口ポートが、好ましくは、ブランケットの肩を覆う部分、あるいはその近傍に設けられており、ブランケット内へ温度処理された空気、例えば加熱された空気を圧送し、ブランケットを膨らませることを可能にする。患者に接触する不透気性シートには、複数の孔が設けられており、温度処理された空気をブランケットから排出し、患者の身体を温めることを可能とする。ブランケット縦長部の各々の末端部に、患者の足を覆う封止された部分を有する。
【０００７】
加熱された空気をブランケット内に循環させるために、縦長部に沿って複数の通路を配する。通路の各々は、隣接する間隔を置いて配置された、２枚の不透気性シートを接合または接着するシール部により形成する。患者に接触する不透気性シートに設けられた複数の孔は、縦方向に並ぶ列を為すように形成する。孔の列は、２枚の不透気性シートを接合する２つの縦方向最外縁のシール部を除く、ブランケットの前記通路を形成する縦方向内側のシール部の各々の近傍に配置する。
【０００８】
したがって、本発明は対流加温ブランケットに関するものであり、このブランケットは、縁部において互いに接合されて膨らませることが可能な、患者の身体を覆う構造体を形成する２枚の不透気性シートを有し、前記構造体は、少なくとも患者の肩と鎖骨隣接部分を覆う上方部と、前記上方部の末端からブランケット足側末端までそれぞれ延在する、少なくとも２つの縦長部を含む胴部を有する。前記縦長部は、長さ方向に沿うように断続的スリットまたは引裂線を有する共通の接合ストリップに沿って取外し可能に互いに接続され、前記接合ストリップに沿って前記縦長部が互いに分離可能である。前記縦長部のうちの１つが他の前記縦長部から分離され、前記構造体の残りの部分から独立して患者の身体から離れる方向に移動することで、患者の身体の前記縦長部のうちの１つで覆われていた部分を露出させることが可能である。
【０００９】
また本発明は、患者の身体を覆うための対流加温ブランケットに関するものであり、このブランケットは、上方部及び前記上方部の末端から足側端部まで延在する少なくとも２つの縦長部を有する、膨らませることが可能な構造体を備え、前記縦長部は、取外し可能に接合ストリップにより互いに接続され、前記接合ストリップの長さ方向に沿って可変な長さにわたり分離可能であり、前記縦長部の各々が患者から離れる方向に前記構造体の他の部分に対して相対的に移動可能であって、前記構造体により覆われている患者の身体の選択された部分の処置が可能であり、前記構造体が少なくとも１つの入口を有し、前記入口は温度処理された空気を前記構造体に入れることを可能にする。
【００１０】
さらに本発明のブランケットは、縁部において封止された２枚の不透気性シートにより形成され、患者の身体の選択された部分の処置を可能にするように構成された、患者を覆うための全身用対流加温ブランケットであって、このブランケットは、上方部と；前記上部の末端からブランケット足端まで縦方向に延在する接合ストリップにより、取り外し可能に互いに接続された複数の縦長部であって、前記結合ストリップは引裂き力を加えることで引裂くことができ、前記縦長部は前記結合ストリップに沿ってどの部分からでも互いに分離することができ、前記縦長部を患者の身体から離し、患者の身体の選択された部分を露出させることを可能とする、複数の縦長部と；  加熱された空気を当該全身用対流加温ブランケットに入れ、当該全身用対流加温ブランケットを膨らますことを可能にする、少なくとも１つの入口と；  前記全身用対流加温ブランケットにそって加熱された空気の流れを誘導する、各縦長部に沿って形成された複数の通路と；患者に接触する前記不透気性シートの一方に、患者に向けて加熱された空気を出すように形成された孔の複数の列；
を有する。
【図面の簡単な説明】
【００１１】
下記の図面を用いた本発明の以下の説明により、本発明がより明らかとなり、また本発明が最も良く理解されるであろう。
【図１】本発明の全身用分割処置用対流加温ブランケットの平面図である。
【図２】本発明の全身用分割処置用対流加温ブランケットにおける、底側すなわち下側の層の平面図である。
【図３】本発明の全身用分割処置用対流加温ブランケットと、当該ブランケットにより覆われている患者との関係とを示す図である。
【発明を実施するための形態】
【００１２】
図１において、本発明の対流加温ブランケットは、全身用分割処置用ブランケット２として示す。ブランケット２は、上方部４と、分離可能な２つの縦長部８と１０を含む主胴部６を有する。ブランケット２は２枚の不透気性シートから成り、これらシートのうち上側すなわち上側シート１２ａを図１にし、また下側すなわち底側シート１２ｂを図２に示す。よく知られているように、これら２枚の不透気性シート１２ａと１２ｂは、それらの縁部すなわち外周部において接合され、膨らませることが可能な構造体を形成する。ブランケット２の縦方向縁部を、１２ｐ１と１２ｐ２として示す。
【００１３】
縦長部８と１０を形成するために、シール部１２ｐ３と１２ｐ４を配する。シール部１２ｐ３と１２ｐ４は、シール部１２ｐ１と１２ｐ２と平行に縦に延在し、縦長部８と１０を接続する接合ストリップ１４を形成する。参照を容易にするために、上方部４の末端縁４ａは、ストリップ１４の上方端を形成する上方横方向シール部１２ｐ５と同一の部分であることを明らかにする。ブランケット２の足側末端が、最下方シール部１２ｐ６と同一の部分としてもよい。さらに、水平シール部１２ｐ７と１２ｐ８が設けられ、他の前記シール部とともに、縦長部８と１０におけるシール足部１６と１８をそれぞれ形成する。
【００１４】
ストリップ１４は、縁部１２ｐ５と１２ｐ６の間において、その長さ方向に沿って延びる断続的スリット２０を有し、該断続的スリット２０は、縦長部８と１０を互いに分離することを可能にする。断続的スリット２０は、弱化エリアまたは引裂線に代替してもよく、また、ストリップ１４に沿って、好ましくは、ストリップ１４の中心に位置するように配してもよく、これにより、ユーザが力を加えて、例えば足部１６と１８をつかみながら、縦長部８と１０を互いに引裂いたり、あるいは分離したり、すなわち一方の縦長部を他のブランケット部分から離すことを可能にする。断続的スリット２０、弱化エリア、または引裂線が、足側端部１２ｐ６から上部４の末端すなわち上方横方向シール部１２ｐ５に達している場合、縦長部８と１０をストリップ１４に沿って任意の長さに渡り、かつ任意の位置で互いに引裂いてもよい。
【００１５】
複数の通路２０ａ〜２０ｅ及び２２ａ〜２２ｅが、縦長部８及び縦長部１０にそれぞれ設けられている。縦長部８における最外側通路２０ａと縦長部１０における最外側通路２２ｅを除いて、これら通路の各々は、縦長部８と１０に沿って縦に延在し、かつ間隔を置いて配置されたシール部により形成される。縦長部８におけるこれらシール部は、外縁シール部１２ｐ１、内側シール部２４ａ、２４ｂ、２４ｃ、２４ｄ、およびストリップ外縁シール部１２ｐ３である。縦長部１０におけるこれらシール部は、ストリップ外縁シール部１２ｐ４、内側シール部２６ａ、２６ｂ、２６ｃ、２６ｄ、および外縁シール部１２ｐ２である。
【００１６】
ブランケット２の上方部４に、開口を有する２つの入口ポート２８，２９を設け、ここに空気ホース（図示せず）を接続可能とし、加熱された空気などの加熱された流体がブランケット２内へと圧送され、ブランケット２を膨らませるよう構成とする。通常の動作では、入口ポート２８，２９のうち１つのみが使用される。
【００１７】
例えば入口ポート２８を介してブランケット２内へと入れられた加熱された空気は、上方部４を通過して流れ、そこから多数の通路２０ａ〜２０ｅ，２２ａ〜２２ｅにより縦長部８と１０における末端エリア６ａへ向けて送られる。図２に示されるように、複数の孔２８が底側シート１２ｂに設けられている。これらの孔は、ブランケット２がかけられた患者に向けて加熱された空気をブランケット２から排出する。縦長部８の通路２０ａ〜２０ｅと縦長部１０の通路２２ａ〜２２ｅにおいて、外縁シール部１２ｐ１と１２ｐ２を除く通路を形成するシール部の各々に沿って孔の縦列を設ける。図２の底側シート１２ｂにおいて、縦長部１０にはシール部２６ｄの一方の側部の近傍位置に孔２８ａの列を設け、またシール部２６ｄの他方の側部の近傍位置に孔２８ｂの列を設ける。同様に、シール部２６ｃの両側部の近傍位置に孔２８ｃの列と孔２８ｄの列を設ける。また、シール部２６ｂの両側部の近傍位置に孔２８ｅの列と孔２８ｆの列を設ける。さらに、シール部２６ａの両側部の近傍位置に孔２８ｇの列と孔２８ｈの列を設ける。また、縦長部１０には内側縁シール部１２ｐ４の近傍位置に孔２８ｉの単一列を設ける。図２に示されるように、同様の態様で、縦長部８にもシール部２４ａ〜２４ｄの近傍位置に同様の孔の列を設ける。かくして図２のブランケット２において、縦長部１０には内側シール部２６ａ〜２６ｄと外縁シール部１２ｐ４の近傍位置に縦方向に孔２８ａ〜２８ｉの列を設け、また同様に、縦長部８には内側シール部２４ａ〜２４ｄと外縁シール部１２ｐ３の近傍位置に縦方向に孔２８ｊ〜２８ｒの列を設ける。
【００１８】
ブランケット２がかけられた患者の肩、鎖骨部、および上胸部へと熱を排出するために、さらなる孔２８をブランケット２の上方部４に設ける。
【００１９】
図１及び２に示されるように、切欠部３０をブランケット２の上方部４に設ける。切欠部は、患者の頭をブランケット２で覆わないようにするものである。
【００２０】
図３は本発明のブランケット２の使用状況を示しており、主に仮想線で示された患者３２にブランケット２をかけた状況である。図示の如く、ブランケット２の上方部４が、少なくとも患者３２の肩、鎖骨３２ａ、および上胸部を覆っている。縦長部８と１０が、下胸部から足に至る患者３２の身体の残りの部分を覆っている。前述したように、縦長部８と１０は互いに分離可能である。したがって、縦長部８と１０の各々は、ブランケット２の他の部分に対して相対的に動かすことが可能である。足側端部すなわち底縁シール部１２ｐ６から上方部４の末端４ａすなわち縁シール部１２ｐ５まで、断続的スリット２０または引裂線が延在している場合、ストリップ１４の長さ方向に沿った任意の位置にて縦長部８と１０の各々を他方の縦長部から選択的に分離することができ、患者３２の身体の選択された各部分を露出させることができる。換言すると、患者の右ひざ３２ｂを手術する場合、右ひざ３２ｂの少し上の位置２０′までの区間に渡ってのみ、縦長部８を縦長部１０から分離すればよい。したがって外科医は、位置２０′まで断続的スリット２０を引裂き、そして患者の右ひざ３２ｂを露出させるために、縦長部８の分離した部分を折り返せばよい。
【００２１】
同様にして、患者の身体の他の部分も選択的に露出させることができ、したがって外科医は露出された身体の部分に処置を施すことができる。例えば、断続的スリット２０に沿って引裂くことで縦長部１０を縦長部８から取外し、縦長部１０の取外した部分を折り返して患者の胃部よりも上の部分に置くと、患者胃部の左半分にアクセスすることができる。患者胃部の左側部分への処置が済んだ後、縦長部１０の取外した部分を当初の位置に戻して、患者の左側部を覆うようし、そこにおける暖かさを維持するようにしてもよい。それから、患者胃部の右側部分を露出させるために、縦長部８を折り返してもよい。この結果、本発明のブランケット２は、手術中に患者の身体のより多くの部分を覆うことができる。言い換えれば、患者の身体の手術すべき部分のみが手術中に露出されるのであり、手術後に縦長部８と１０の取外した部分を当初の位置に戻して、露出した身体の部分を再度覆うことができる。
【００２２】
上述のブランケット２は２つの縦長部８，１０を有しており、縦長部８と１０は同一幅である。２つの縦長部８，１０の代わりに、互いに分離することが可能な３つ以上の縦長部を設けてもよく、この場合、患者の身体のより細い選択部分を露出させることができる。例えば、同一幅の２つの縦長部８と１０の代わりに、ブランケットの上方部から延在する、３つ以上の同一幅または非同一幅の縦長部を設けてもよい。縦長部の数が多いほど、縦長部の幅が狭くなるので、患者のより小さな部分を露出させることができる。縦長部は、前述と同じ方法で、互いに取り外し可能となるように取り付けられる。すなわち、隣接する縦長部を互いに分離可能とするために、断続的スリットまたは引裂線を持つ接合ストリップにより隣接する縦長部が分離可能に接続されている。図示例では、本発明ブランケットの上部４は患者の上胸部を覆っているが、実施においては上部４の末端の位置は図３に示される位置よりも上または下であってもよく、この場合ブランケットの縦長部の選択的な取外しにより、患者の身体をより多くあるいはより少なく覆ったり、露出させたりすることができる。
【図１】
0005551718.tif 000002
【図２】
0005551718.tif 000003
【図３】
0005551718.tif 000004